(57)【要約】【課題】ハイビジョン受信機などのＡＶ出力装置から、不要な音が出力されないようにすること。【解決手段】中継装置２の分離手段２１は、ストリーミング入力端子１０に、映像データおよび音声データを有する所定の形式のストリーミング信号が入力されると、これを映像データおよび音声データに分離する。出力手段２７は、分離手段２１により分離された映像データを有し、ストリーミング入力端子１０に入力されるストリーミング信号と同じ形式のストリーミング信号を生成して出力する。【選択図】図１
2007243460.tif 000002
【特許請求の範囲】
【請求項１】
映像データおよび音声データを有する所定の形式のストリーミング信号が入力されるストリーミング入力端子と、
上記ストリーミング入力端子に入力される上記ストリーミング信号から、上記映像データおよび音声データを分離する分離手段と、
上記分離手段により分離された映像データを有し、上記ストリーミング入力端子に入力されるストリーミング信号と同じ形式のストリーミング信号を生成して出力する出力手段と、
を有することを特徴とする中継装置。
【請求項２】
映像データおよび音声データを有する所定の形式のストリーミング信号が入力されるストリーミング入力端子と、
上記音声データと同じコンテンツの音声データあるいは音声信号が中継のために入力可能な音声入力端子と、
上記ストリーミング入力端子に入力される上記ストリーミング信号から、上記映像データおよび音声データを分離する分離手段と、
上記音声入力端子に上記音声ストリーミングデータあるいは音声ストリーミング信号が入力されている場合、上記分離手段により分離された映像データを有し、上記ストリーミング入力端子に入力されるストリーミング信号と同じ形式のストリーミング信号を生成して出力する出力手段と、
を有することを特徴とする中継装置。
【請求項３】
映像データおよび音声データを有する所定の形式のストリーミング信号が入力されるストリーミング入力端子と、
上記音声データと同じコンテンツの音声データあるいは音声信号が中継のために入力可能な音声入力端子と、
上記ストリーミング入力端子に入力される上記ストリーミング信号から、上記映像データおよび音声データを分離する分離手段と、
上記分離手段により分離された音声データが音声ストリーミングデータあるいはそれに基づく音声データである場合、上記分離手段により分離された映像データを有し、上記ストリーミング入力端子に入力されるストリーミング信号と同じ形式のストリーミング信号を生成して出力する出力手段と、
を有することを特徴とする中継装置。
【請求項４】
前記出力手段が生成するストリーミング信号は、無音の音声データを有するもの、もしくは、音声データを持たないものであることを特徴とする請求項１から３の中のいずれか１項記載の中継装置。
【請求項５】
前記出力手段により生成される前記ストリーミング信号を出力するストリーミング出力端子と、
前記音声入力端子に入力される音声データあるいは音声信号に基づく音声データあるいは音声信号を出力する音声出力端子と、
を有することを特徴とする請求項２または３記載の中継装置。
【請求項６】
請求項５記載の中継装置と、
前記中継装置の前記ストリーミング入力端子および前記音声入力端子に接続され、前記ストリーミング入力端子に映像データおよび音声データを有する所定の形式のストリーミング信号を出力するとともに前記音声入力端子に音声データあるいは音声信号を出力するＡＶソース装置と、
前記中継装置の前記ストリーミング出力端子に接続され、前記ストリーミング出力端子から出力される所定の形式のストリーミング信号に基づく映像を出力するＡＶ出力装置と、
前記中継装置の前記音声出力端子に接続され、前記音声出力端子から出力される音声データあるいは音声信号に基づく音声を出力するオーディオ出力装置と、
を有することを特徴とするＡＶ再生システム。
【請求項７】
映像データおよび音声データを有する所定の形式のストリーミング信号を取得する取得手段と、
上記取得手段により取得された上記ストリーミング信号から、上記映像データおよび音声データを分離する分離手段と、
上記分離手段により分離された上記音声データに基づいて、上記音声データと同じコンテンツの音声データあるいは音声信号を出力する音声出力端子と、
上記分離手段により分離された音声データが音声ストリーミングデータである場合、上記分離手段により分離された映像データを有し、上記取得手段により取得されるストリーミング信号と同じ形式のストリーミング信号を生成する出力手段と、
上記出力手段により生成されたストリーミング信号を出力するストリーミング出力端子と、
を有することを特徴とするＡＶソース装置。
【請求項８】
前記出力手段が生成するストリーミング信号は、無音の音声データを有するもの、もしくは、音声データを持たないものであることを特徴とする請求項７記載のＡＶソース装置。
【請求項９】
請求項７または８記載のＡＶソース装置と、
前記ＡＶソース装置の前記ストリーミング出力端子に接続され、前記ストリーミング出力端子から出力される所定の形式のストリーミング信号に基づく映像を出力するＡＶ出力装置と、
前記ＡＶソース装置の前記音声出力端子に接続され、前記音声出力端子から出力される音声データあるいは音声信号に基づく音声を出力するオーディオ出力装置と、
を有することを特徴とするＡＶ再生システム。
【発明の詳細な説明】
【技術分野】
【０００１】
本発明は、中継装置、ＡＶ再生システムおよびＡＶソース装置に関する。
【背景技術】
【０００２】
特許文献１は、映像表示装置を開示する。映像表示装置は、ＨＤＭＩ端子を有する。映像表示装置は、ＡＶ機器からＨＤＭＩ端子に入力されるデジタル入力信号を処理して、アナログ映像信号とアナログ音声信号とを生成する。映像表示装置は、生成したアナログ映像信号に基づいて映像を表示し、生成したアナログ音声信号に基づいて音声を出力する。
【０００３】
【特許文献１】特開２００４−３５７０２９号公報（図１、発明の実施の形態など）
【発明の開示】
【発明が解決しようとする課題】
【０００４】
ＤＶＤなどに記録された映画や音楽などの高品質の音と映像を楽しむために、ＡＶシステムでは、５．１ｃｈスピーカシステムなどを使用するようになってきている。５．１ｃｈスピーカシステムを使用する場合、ＤＶＤプレーヤなどのソース機器には、ハイビジョン受信機と、５．１ｃｈスピーカシステムとが接続される。ハイビジョン受信機は、ＤＶＤプレーヤからＨＤＭＩ信号を受信し、このＨＤＭＩ信号に含まれる映像ストリーミングデータに基づく映像を表示する。５．１ｃｈスピーカシステムは、ＤＶＤプレーヤからのデジタルあるいはアナログの音声信号を受信し、この音声信号による音声を出力する。
【０００５】
しかしながら、ＤＶＤプレーヤが出力するＨＤＭＩ信号には、映像ストリーミングデータとともに音声ストリーミングデータが含められている。そのため、ハイビジョン受信機は、ＤＶＤプレーヤから入力されるこのＨＤＭＩ信号に含まれる音声ストリーミングデータに基づいて、音声を出力してしまう。ハイビジョン受信機が出力する音声は、５．１ｃｈスピーカシステムによる高音質な音声と混ざってしまう。５．１ｃｈスピーカシステムにより、正しい音空間を形成することができない。視聴者は、５．１ｃｈスピーカシステムによる高音質な音声を楽しむことができなくなってしまう。
【０００６】
特に、ＤＶＤプレーヤなどのソース機器が、５．１ｃｈの音声ストリーミングデータを２ｃｈの音声ストリーミングデータなどにダウンミックスし、そのダウンミックスした音声ストリーミングデータをＨＤＭＩ信号に含める場合、ハイビジョン受信機は、５．１ｃｈスピーカシステムとは異なる音質の音声を出力してしまうことになる。
【０００７】
そのため、ＡＶシステムのユーザは、ＤＶＤなどに記録された高品質の音と映像を楽しむためには、ＤＶＤなどを再生する度に、ハイビジョン受信機に音声ミュートを設定しなければならない。また、ＡＶシステムのユーザは、ＤＶＤなどの再生が終了する度に、ハイビジョン受信機に音声ミュートの解除を設定しなければならない。
【０００８】
本発明は、ハイビジョン受信機などのＡＶ出力装置から、不要な音が出力されないようにすることができる中継装置、ＡＶ再生システムおよびＡＶソース装置を得ることを目的とする。
【課題を解決するための手段】
【０００９】
本発明に係る中継装置は、映像データおよび音声データを有する所定の形式のストリーミング信号が入力されるストリーミング入力端子と、ストリーミング入力端子に入力されるストリーミング信号から、映像データおよび音声データを分離する分離手段と、分離手段により分離された映像データを有し、ストリーミング入力端子に入力されるストリーミング信号と同じ形式のストリーミング信号を生成して出力する出力手段と、を有するものである。
【００１０】
本発明に係る他の中継装置は、映像データおよび音声データを有する所定の形式のストリーミング信号が入力されるストリーミング入力端子と、音声データと同じコンテンツの音声データあるいは音声信号が中継のために入力可能な音声入力端子と、ストリーミング入力端子に入力されるストリーミング信号から、映像データおよび音声データを分離する分離手段と、音声入力端子に音声ストリーミングデータあるいは音声ストリーミング信号が入力されている場合、分離手段により分離された映像データを有し、ストリーミング入力端子に入力されるストリーミング信号と同じ形式のストリーミング信号を生成して出力する出力手段と、を有するものである。
【００１１】
本発明に係るさらに他の中継装置は、映像データおよび音声データを有する所定の形式のストリーミング信号が入力されるストリーミング入力端子と、音声データと同じコンテンツの音声データあるいは音声信号が中継のために入力可能な音声入力端子と、ストリーミング入力端子に入力されるストリーミング信号から、映像データおよび音声データを分離する分離手段と、分離手段により分離された音声データが音声ストリーミングデータあるいはそれに基づく音声データである場合、分離手段により分離された映像データを有し、ストリーミング入力端子に入力されるストリーミング信号と同じ形式のストリーミング信号を生成して出力する出力手段と、を有するものである。
【００１２】
本発明に係る中継装置は、上述した発明の各構成に加えて、出力手段が生成するストリーミング信号が、無音の音声データを有するもの、もしくは、音声データを持たないものである。
【００１３】
本発明に係る中継装置は、上述した発明の各構成に加えて、出力手段により生成されるストリーミング信号を出力するストリーミング出力端子と、音声入力端子に入力される音声データあるいは音声信号に基づく音声データあるいは音声信号を出力する音声出力端子と、を有するものである。
【００１４】
本発明に係るＡＶ再生システムは、上述した発明に係る中継装置と、中継装置のストリーミング入力端子および音声入力端子に接続され、ストリーミング入力端子に映像データおよび音声データを有する所定の形式のストリーミング信号を出力するとともに音声入力端子に音声データあるいは音声信号を出力するＡＶソース装置と、中継装置のストリーミング出力端子に接続され、ストリーミング出力端子から出力される所定の形式のストリーミング信号に基づく映像を出力するＡＶ出力装置と、中継装置の音声出力端子に接続され、音声出力端子から出力される音声データあるいは音声信号に基づく音声を出力するオーディオ出力装置と、を有するものである。
【００１５】
本発明に係るＡＶソース装置は、映像データおよび音声データを有する所定の形式のストリーミング信号を取得する取得手段と、取得手段により取得されたストリーミング信号から、映像データおよび音声データを分離する分離手段と、分離手段により分離された音声データに基づいて、音声データと同じコンテンツの音声データあるいは音声信号を出力する音声出力端子と、分離手段により分離された音声データが音声ストリーミングデータである場合、分離手段により分離された映像データを有し、取得手段により取得されるストリーミング信号と同じ形式のストリーミング信号を生成する出力手段と、出力手段により生成されたストリーミング信号を出力するストリーミング出力端子と、を有するものである。
【００１６】
本発明に係るＡＶソース装置は、上述した発明の構成に加えて、出力手段が生成するストリーミング信号が、無音の音声データを有するもの、もしくは、音声データを持たないものである。
【００１７】
本発明に係る他のＡＶ再生システムは、上述した発明に係るＡＶソース装置と、ＡＶソース装置のストリーミング出力端子に接続され、ストリーミング出力端子から出力される所定の形式のストリーミング信号に基づく映像を出力するＡＶ出力装置と、ＡＶソース装置の音声出力端子に接続され、音声出力端子から出力される音声データあるいは音声信号に基づく音声を出力するオーディオ出力装置と、を有するものである。
【発明の効果】
【００１８】
本発明では、ハイビジョン受信機などのＡＶ出力装置から、不要な音が出力されないようにすることができる。
【発明を実施するための最良の形態】
【００１９】
以下、本発明の実施の形態に係る中継装置、ＡＶ再生システムおよびＡＶソース装置を、図面に基づいて説明する。中継装置は、ＡＶ（Ａｕｄｉｏ  Ｖｉｓｕａｌ）アンプを例として実施の形態１により説明する。ＡＶソース装置は、ＤＶＤプレーヤを例として実施の形態２により説明する。ＡＶ再生システムは、これらＡＶアンプあるいはＤＶＤプレーヤを有するシステムとして各実施の形態で説明する。
【００２０】
実施の形態１．
図１は、本発明の実施の形態１に係る中継装置としてのＡＶアンプ２の構成を示す装置構成図である。ＡＶアンプ２は、映像や音声の入力端子として、ストリーミング入力端子としてのＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）入力コネクタ１０と、音声入力端子としての光入力コネクタ１１と、５．１ｃｈ分（６つ）の信号入力コネクタ１２と、を有する。また、ＡＶアンプ２は、映像や音声の出力端子として、ストリーミング出力端子としてのＨＤＭＩ出力コネクタ１３と、音声出力端子としての５．１ｃｈ分（６つ）の信号出力コネクタ１４と、を有する。なお、信号入力コネクタ１２および信号出力コネクタ１４は、７．１ｃｈ分であっても、２．１ｃｈ分であってもよい。光入力コネクタ１１は、同軸ケーブルのコネクタであってもよい。
【００２１】
複数の信号入力コネクタ１２には、５．１ｃｈのアナログの音声信号が入力される。５．１ｃｈの音声信号は、左前、右前、センタ、左後、右後、サブウーファの６つの音声信号で構成される。複数の信号入力コネクタ１２は、セレクタ１６に接続される。セレクタ１６は、音声アンプ１７に接続される。音声アンプ１７は、複数の信号出力コネクタ１４に接続される。音声アンプ１７は、５．１ｃｈの音声信号を増幅する。
【００２２】
光入力コネクタ１１には、音声データが入力される。音声データには、５．１ｃｈの音声ストリーミングデータや、２ｃｈの音声データ、モノラルの音声データなどがある。５．１ｃｈの音声ストリーミングデータは、たとえばＡＡＣ、ＤＶＤ−Ａｕｄｉｏ形式などの形式に圧縮した上で、ＩＥＣ（Ｉｎｔｅｒｎａｔｉｏｎａｌ  Ｅｌｅｃｔｒｏｔｅｃｈｎｉｃａｌ  Ｃｏｍｍｉｓｓｉｏｎ）６１９７３形式により光伝送したり、ＳＡＣＤ（Ｓｕｐｅｒ  Ａｕｄｉｏ  ＣＤ）形に変換した上で、ＩＥＣ６１９７３形式により光伝送したりすることができる。２ｃｈの音声データやモノラルの音声データは、圧縮することなく、たとえばＩＥＣ６０９５８形式により光伝送することができる。
【００２３】
光入力コネクタ１１は、音声コーデック１８に接続される。音声コーデック１８は、Ｄ／Ａ（Ｄｉｇｉｔａｌ  ｔｏ  Ａｎａｌｏｇ）コンバータ１９に接続される。Ｄ／Ａコンバータ１９は、セレクタ１６に接続される。音声コーデック１８は、音声データから、そのチャンネル数分のたとえばリニアＰＣＭ（Ｐｕｌｓｅ  Ｃｏｄｅ  Ｍｏｄｕｌａｔｉｏｎ）データを生成する。Ｄ／Ａコンバータ１９は、リニアＰＣＭデータからアナログの音声信号を生成する。
【００２４】
セレクタ１６には、複数の信号入力コネクタ１２と、Ｄ／Ａコンバータ１９とが接続される。セレクタ１６は、それらの中の一方を選択する。セレクタ１６は、選択したものから入力されるアナログの音声信号を、音声アンプ１７へ出力する。
【００２５】
ＨＤＭＩ入力コネクタ１０およびＨＤＭＩ出力コネクタ１３には、ＨＤＭＩケーブルが接続される。ＨＤＭＩケーブルは、２つのＡＶ装置を１対１に接続する。以下、ＨＤＭＩについて説明する。
【００２６】
図２は、ＨＤＭＩ対応のＡＶソース装置４１とＡＶシンク装置４２とをＨＤＭＩケーブル４３により接続することで形成される、ＨＤＭＩ入出力チャンネルを示す図である。２つのＡＶ装置４１，４２をＨＤＭＩケーブル４３で接続すると、２つのＡＶ装置４１，４２の間には、チャンネル０、チャンネル１、チャンネル２およびクロックチャンネルの、４つのＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｚｉｎｇ）リンクが形成される。各チャンネルは、差動信号によりデータを伝送する。
【００２７】
この４つのチャンネルにより、ＡＶストリーミングデータが伝送される。ＡＶストリーミングデータは、所定のコンテンツの映像データや音声データを有する。具体的には、チャンネル０、チャンネル１およびチャンネル２は、映像データのＲ（赤）Ｇ（緑）Ｂ（青）の色成分に対応する３つのピクセルコンポーネントデータを伝送する。クロックチャンネルは、ピクセルクロックを伝送する。
【００２８】
図３は、ＨＤＭＩの各チャンネルの伝送単位である１つの伝送フレームのデータ構造を示す図である。各チャンネルは、この伝送フレーム毎にデータを伝送する。伝送フレームは、縦５２５ピクセル×横８５８ピクセル分のデータサイズを有する。この伝送フレームの一部に、映像データの１フレーム分の色成分のピクセルコンポーネントデータが格納される。図３の伝送フレームは、斜線で示す範囲のピクセルに、縦４８０ピクセル×横７２０ピクセルのサイズのフレーム画像のデータを格納する。また、伝送フレームの画像データを格納していないピクセルに、パケットヘッダデータや音声データが格納される。ＨＤＭＩにおいて、ピクセルコンポーネントデータを格納するピクセル領域は、ビデオデータピリオド５１と呼ばれる。パケットヘッダデータや音声データを格納するピクセル領域は、データアイランドピリオド５２と呼ばれる。その他の領域は、コントロールピリオド５３と呼ばれる。
【００２９】
図４は、ＨＤＭＩによる複数チャンネルの送信状態を示すタイミングチャートである。図４には、左側からコントロールピリオド５３、データアイランドピリオド５２、コントロールピリオド５３、ビデオデータピリオド５１が描画されている。データアイランドピリオド５２およびビデオデータピリオド５１は、このようにコントロールピリオド５３により分離される。
【００３０】
データアイランドピリオド５２において、チャンネル０は、伝送フレームの同期データ（ＨＳＹＮＣデータおよびＶＳＹＮＣデータ）などを伝送する。チャンネル１およびチャンネル２は、パケット１およびパケット２を伝送する。パケット１およびパケット２には、音声データなどを格納することができる。
【００３１】
図１に戻る。ＡＶアンプ２のＨＤＭＩ入力コネクタ１０は、このようなＨＤＭＩによる４チャンネル分のデータを受信する。ＨＤＭＩ入力コネクタ１０は、分離手段としてのＨＤＭＩレシーバ２１に接続される。ＨＤＭＩレシーバ２１は、ＴＭＤＳレシーバ２２と、分離部２３と、映像デコーダ２４と、音声デコーダ２５と、を有する。これらＴＭＤＳレシーバ２２、分離部２３、映像デコーダ２４、音声デコーダ２５などは、たとえば図示外のＤＳＰ（Ｄｉｇｉｔａｌ  Ｓｉｇｎａｌ  Ｐｒｏｃｅｓｓｏｒ）がＨＤＭＩ入力処理プログラムを実行することで実現可能である。
【００３２】
ＴＭＤＳレシーバ２２は、ＴＭＤＳ方式による複数チャンネルの差動信号を受信する。ＴＭＤＳレシーバ２２は、受信したチャンネル毎の差動信号に重畳されているデジタルデータを抽出する。
【００３３】
分離部２３は、著作権保護などのためのＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ）鍵を用いて、ＴＭＤＳレシーバ２２により抽出されたデジタルデータを復号する。これにより、ＡＶストリーミングデータが再生される。分離部２３は、再生したＡＶストリーミングデータを、映像の分離データと、音声の分離データとに分離する。
【００３４】
映像デコーダ２４は、分離部２３により分離された映像の分離データに基づいて、映像データを生成する。映像データには、たとえばＭＰＥＧ（Ｍｏｖｉｎｇ  Ｐｉｃｔｕｒｅ  Ｅｘｐｅｒｔｓ  Ｇｒｏｕｐ）形式の映像ストリーミングデータがある。
【００３５】
音声デコーダ２５は、分離部２３により分離された音声の分離データに基づいて、音声データを生成する。音声デコーダ２５は、音声出力制御部２６に接続される。音声出力制御部２６は、入力される音声データをそのまま出力したり、入力される音声データと同一形式の無音の音声データを出力したりする。なお、音声出力制御部２６は、ＨＤＭＩ入力処理プログラムの一部に組み込まれて、ＨＤＭＩレシーバ２１の一部として実現されてもよい。
【００３６】
ＨＤＭＩレシーバ２１の映像デコーダ２４と音声出力制御部２６とは、出力手段としてのＨＤＭＩトランスミッタ２７に接続される。ＨＤＭＩトランスミッタ２７は、ＨＤＭＩ出力コネクタ１３に接続される。ＨＤＭＩトランスミッタ２７は、映像データおよび音声データの内の少なくとも一方が入力されると、それを有する１つのＡＶストリーミングデータを生成する。ＨＤＭＩトランスミッタ２７は、生成したＡＶストリーミングデータを、ＨＤＭＩ出力コネクタ１３へ出力する。
【００３７】
ＡＶアンプ２は、この他にも、検出手段としての音声ストリーミング検出部３１、装置制御部３２、表示部３３、操作部３４などを有する。
【００３８】
音声ストリーミング検出部３１は、光入力コネクタ１１に、音声ストリーミングデータが入力されているか否かを判断する。音声ストリーミングデータには、たとえば５．１ｃｈの音声ストリーミングデータ、７．１ｃｈの音声ストリーミングデータ、ＤＴＳ−ＣＤの音声ストリーミングデータなどがある。
【００３９】
音声ストリーミング検出部３１は、具体的にはたとえば、光入力コネクタ１１に入力される音声データを取得する。音声ストリーミング検出部３１は、取得した音声データが、たとえば音声ストリーミングデータのフォーマットであるか否かを判断して検出する。なお、音声ストリーミング検出部３１は、取得した音声データが、たとえばＰＣＭデータ以外の音声データであったり、ＤＴＳ−ＣＤデータストリームデータであったりしたら、音声ストリーミングデータであると判断すればよい。
【００４０】
なお、音声ストリーミング検出部３１は、この他にもたとえば、光入力コネクタ１１に音声ストリーミングデータが入力されているか否かを判断するために、音声コーデック１８を監視するようにしてもよい。この場合、音声コーデック１８がデコード動作をしていると、音声ストリーミング検出部３１は、光入力コネクタ１１に音声ストリーミングデータが入力されていると判断すればよい。
【００４１】
装置制御部３２は、装置の動作を管理制御する。装置制御部３２は、操作部３４からの操作データに基づいて、装置の動作状態を変更する。装置制御部３２は、たとえば装置の動作状態を、表示部３３に表示させる。特に、このＡＶアンプ２の装置制御部３２は、音声ストリーミング検出部３１の検出結果に応じた音声出力指示を、音声出力制御部２６へ出力する。
【００４２】
以上の構成を有するＡＶアンプ２は、ＡＶストリーミングデータを出力するソース機器と、ＡＶストリーミングデータを再生する再生機器との間に接続されて使用する。
【００４３】
ＡＶストリーミングデータを出力するソース機器としては、たとえばＤＶＤ（Ｄｉｇｉｔａｌ  Ｖｅｒｓａｔｉｌｅ  Ｄｉｓｋ）プレーヤがある。ソース機器には、この他にもたとえば、ブルーレイやＨＤ（Ｈｉｇｈ  Ｄｅｆｉｎｉｔｉｏｎ）−ＤＶＤなどの次世代のＤＶＤプレーヤや、インターネットからＩＥＣ６１９７３形式のＡＶストリーミングデータを取得して出力するＭＭＰ（マルチメディアプレーヤ）、パーソナルコンピュータなどがある。
【００４４】
ＡＶストリーミングデータを再生する再生機器としては、たとえば映像と音声とを再生するハイビジョン受信機などがある。
【００４５】
図５は、図１のＡＶアンプ２を有するＡＶ再生システム１の構成の一例を示すシステム構成図である。図５のＡＶ再生システム１は、ＡＶソース装置としてのＤＶＤプレーヤ３と、ＡＶアンプ２と、ＡＶ出力装置としてのハイビジョン受信機４と、オーディオ出力装置としての５．１ｃｈスピーカシステム５と、を有する。
【００４６】
ＤＶＤプレーヤ３とＡＶアンプ２とは、ＨＤＭＩケーブル６と、光ケーブル７とにより接続される。ＨＤＭＩケーブル６は、ＡＶアンプ２のＨＤＭＩ入力コネクタ１０に接続される。光ケーブル７は、ＡＶアンプ２の光入力コネクタ１１に接続される。
【００４７】
ＡＶアンプ２とハイビジョン受信機４とは、他のＨＤＭＩケーブル８により接続される。他のＨＤＭＩケーブル８は、ＡＶアンプ２のＨＤＭＩ出力コネクタ１３に接続される。
【００４８】
ＡＶアンプ２と５．１ｃｈスピーカシステム５とは、複数のＲＣＡケーブル９により接続される。複数のＲＣＡケーブル９は、ＡＶアンプ２の複数の信号出力コネクタ１４に接続される。なお、ＡＶアンプ２と５．１ｃｈスピーカシステム５とは、ＲＣＡケーブル９以外の同軸ケーブルやツイストペアケーブルなどで接続されていてもよい。
【００４９】
図６は、図５中のＤＶＤプレーヤ３の構成を示す装置構成図である。ＤＶＤプレーヤ３は、映像および音声の出力端子として、ビデオ信号出力コネクタ６１と、ＨＤＭＩ出力コネクタ６２と、光出力コネクタ６３と、複数の信号出力コネクタ６４と、を有する。また、ＤＶＤプレーヤ３は、再生処理部６６と、装置制御部６７と、操作部６８と、表示部６９と、を有する。
【００５０】
図５においてＤＶＤプレーヤ３とＡＶアンプ２とを接続するＨＤＭＩケーブル６は、ＤＶＤプレーヤ３のＨＤＭＩ出力コネクタ６２に接続される。また、図５においてＤＶＤプレーヤ３とＡＶアンプ２とを接続する光ケーブル７は、光出力コネクタ６３に接続される。
【００５１】
再生処理部６６は、図示外の駆動モータと、光ピックアップ７１と、信号処理部７２と、映像デコーダ７３と、ＩＰ（Ｉｎｔｅｒｌａｃｅ  ｔｏ  Ｐｒｏｇｒｅｓｓｉｖｅ）コンバータ７４と、ビデオエンコーダ７５と、ビデオアンプ７６と、スケーラ７７と、音声デコーダ７８と、ＨＤＭＩトランスミッタ７９と、音声コーデック８０と、Ｄ／Ａコンバータ８１と、音声アンプ８２と、を有する。
【００５２】
駆動モータは、ＤＶＤ方式で映像データ、音声データなどが記録されたディスク型記録媒体９１を回転駆動する。
【００５３】
光ピックアップ７１は、回転駆動されるディスク型記録媒体９１を走査する。光ピックアップ７１は、ディスク型記録媒体９１に記録されたデータを読み取る。
【００５４】
信号処理部７２は、光ピックアップ７１が読み取ったデータから、映像の分離データと音声の分離データとを生成する。
【００５５】
ＩＰコンバータ７４は、インターレス方式の映像データから、プログレッシブ方式の映像データを生成する。
【００５６】
ビデオエンコーダ７５は、映像データに基づいて、所定のアナログの映像信号を生成する。アナログの映像信号としては、たとえばＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）方式のもの、ＰＡＬ（Ｐｈａｓｅ  Ａｌｔｅｒｎａｔｉｏｎ  Ｌｉｎｅ）方式のものなどがある。なお、ビデオエンコーダ７５は、Ｄ３方式、Ｄ４方式などのデジタルの映像信号を生成するものであってもよい。
【００５７】
ビデオアンプ７６は、映像信号を増幅する。ビデオアンプ７６は、ビデオ信号出力コネクタ６１に接続される。ビデオアンプ７６は、増幅したアナログの映像信号を、ビデオ信号出力コネクタ６１へ出力する。
【００５８】
スケーラ７７は、プログレッシブ方式の映像データの各フレームの解像度を変換する。具体的にはたとえば、スケーラ７７は、４８０本の有効走査線数を有するプログレッシブフレームを、７２０本あるいは１０８０本の有効走査線数を有するプログレッシブフレームへ変換する。
【００５９】
上述したもの以外のＤＶＤプレーヤ３の構成要素は、図１に示すＡＶアンプ２における同名の構成要素と同じ機能を有するものであり、その説明を省略する。
【００６０】
図７は、図５中のハイビジョン受信機４の構成を示す装置構成図である。ハイビジョン受信機４は、映像および音声の入力端子として、ＨＤＭＩ入力コネクタ１０１を有する。ハイビジョン受信機４は、ＨＤＭＩレシーバ１０２と、ビデオエンコーダ１０３と、ビデオアンプ１０４と、ディスプレイ１０５と、音声コーデック１０６と、Ｄ／Ａコンバータ１０７と、音声アンプ１０８と、２ｃｈスピーカ１０９と、チューナ１１０と、装置制御部１１１と、操作部１１２と、表示部１１３と、を有する。
【００６１】
ディスプレイ１０５は、アナログの映像信号に基づく映像を表示する。
【００６２】
２ｃｈスピーカ１０９は、２ｃｈのアナログの音声信号に基づく音を出力する。音声信号がモノラルである場合、２ｃｈスピーカ１０９は、２つのスピーカから同じ音を出力する。
【００６３】
チューナ１１０は、ハイビジョン放送電波を受信する。チューナ１１０は、受信したハイビジョン放送電波から、映像データ、音声データなどを抽出する。チューナ１１０は、抽出した映像データをたとえばビデオエンコーダ１０３へ出力し、抽出した音声データを音声コーデック１０６へ出力する。
【００６４】
装置制御部１１１は、操作部１１２からの操作データに基づいて、音声アンプ１０８へミュート指示やその解除指示を出力する。音声アンプ１０８は、ミュート指示がなされると、音声信号を出力しない。音声アンプ１０８は、チューナ１１０からの音声データに基づく音声信号も出力しなくなる。音声アンプ１０８は、ミュート解除が指示されると、音声信号の出力を開始する。
【００６５】
上述したもの以外のハイビジョン受信機４の構成要素は、図１に示すＡＶアンプ２あるいは図６に示すＤＶＤプレーヤ３における同名の構成要素と同じ機能を有するものであり、その説明を省略する。なお、音声アンプ１０８には、２ｃｈスピーカ１０９が接続されている。そのため、音声コーデック１０６あるいはＤ／Ａコンバータ１０７は、３チャンネル以上の音声データが入力される場合、それを２ｃｈにダウンミックスしたり、その中の２つのチャンネルの音声データをデコードしたりする。
【００６６】
次に、図５の接続のＡＶ再生システム１を例として、ＤＶＤ方式で映像および音声のコンテンツデータが記録されたディスク型記録媒体９１の再生動作を説明する。以下の説明では、ディスク型記録媒体９１には、音声データとして５．１ｃｈ音声ストリーミングデータが記録されているものとする。
【００６７】
図６に示すように、ディスク型記録媒体９１は、ＤＶＤプレーヤ３に装着される。ＤＶＤプレーヤ３の図示外の駆動モータは、ディスク型記録媒体９１を回転駆動する。光ピックアップ７１は、回転駆動されるディスク型記録媒体９１からデータを読み込む。光ピックアップ７１により読み取られたデータは、信号処理部７２へ供給される。信号処理部７２は、供給されたデータから、映像の分離データと、音声の分離データとを生成する。
【００６８】
信号処理部７２が分離生成した映像の分離データは、映像デコーダ７３へ供給される。映像デコーダ７３は、供給された映像の分離データに基づいて、映像データを生成する。ＩＰコンバータ７４は、インターレス方式の映像データを、プログレッシブ方式の映像データへ変換する。ＩＰコンバータ７４が生成するプログレッシブ方式の映像データは、ビデオエンコーダ７５と、スケーラ７７とへ供給される。スケーラ７７は、プログレッシブ方式の映像データの各フレームの解像度を変換する。スケーラ７７により解像度が変換された映像データは、ＨＤＭＩトランスミッタ７９へ供給される。
【００６９】
また、ビデオエンコーダ７５は、映像データに基づいて、所定のアナログの映像信号を生成する。ビデオアンプ７６は、アナログの映像信号を増幅する。ビデオアンプ７６により増幅されたアナログの映像信号は、ビデオ信号出力コネクタ６１へ出力される。
【００７０】
信号処理部７２が分離生成した音声の分離データは、音声デコーダ７８へ供給される。音声デコーダ７８は、音声の分離データに基づいて、音声データを生成する。ディスク型記録媒体９１に５．１ｃｈ音声ストリーミングデータが記録されているので、音声デコーダ７８は、５．１ｃｈ音声ストリーミングデータを生成する。音声デコーダ７８が生成した５．１ｃｈ音声ストリーミングデータは、ＨＤＭＩトランスミッタ７９と、光出力コネクタ６３と、音声コーデック８０とに供給される。
【００７１】
なお、ＤＶＤプレーヤ３の音声デコーダ７８は、ＨＤＭＩトランスミッタ７９と、光出力コネクタ６３と、音声コーデック８０とに、別々の形式の音声データを供給してもよい。たとえば、ＤＶＤプレーヤ３の音声デコーダ７８は、ＨＤＭＩトランスミッタ７９へＳＰＤＩＦ形式の音声データを供給し、光出力コネクタ６３および音声コーデック８０へ５．１ｃｈの音声ストリーミングデータを供給するようにしてもよい。この場合、ＤＶＤプレーヤ３の音声デコーダ７８は、５．１ｃｈの音声ストリーミングデータをダウンミックスしてＳＰＤＩＦ形式の音声データを生成することになる。ＳＰＤＩＦ形式の音声データは、５．１ｃｈの音声ストリーミングデータに基づく音声データとなる。
【００７２】
ＨＤＭＩトランスミッタ７９は、スケーラ７７から映像データが供給され、且つ、音声デコーダ７８から５．１ｃｈ音声ストリーミングデータが供給されると、これら映像データおよび５．１ｃｈ音声ストリーミングデータを有するＡＶストリーミングデータを生成する。ＨＤＭＩトランスミッタ７９は、生成したＡＶストリーミングデータを、ＨＤＭＩ出力コネクタ６２へ出力する。
【００７３】
また、音声コーデック８０は、音声デコーダ７８から供給される５．１ｃｈ音声ストリーミングデータをデコードし、５．１チャンネル分のＰＣＭデータを生成する。Ｄ／Ａコンバータ８１は、音声コーデック８０により生成された５．１チャンネル分のＰＣＭデータを５．１チャンネル分の音声信号へ変換する。Ｄ／Ａコンバータ８１は、生成した５．１チャンネル分の音声信号を複数の信号出力コネクタ６４へ出力する。
【００７４】
以上のように、ＤＶＤプレーヤ３は、映像および５．１ｃｈ音声ストリーミングデータが記録されたディスク型記録媒体９１を再生する。ＤＶＤプレーヤ３は、ディスク型記録媒体９１に記録された映像データおよび５．１ｃｈ音声ストリーミングデータを有するＡＶストリーミングデータを、ＨＤＭＩ出力コネクタ６２から出力する。ＤＶＤプレーヤ３は、ディスク型記録媒体９１に記録された５．１ｃｈ音声ストリーミングデータを、光出力コネクタ６３から出力する。ＤＶＤプレーヤ３は、ディスク型記録媒体９１に記録された５．１ｃｈ音声ストリーミングデータに基づく５．１チャンネル分の音声信号を、複数の信号出力コネクタ６４から出力する。
【００７５】
ＤＶＤプレーヤ３のＨＤＭＩ出力コネクタ６２は、図５に示すように、ＨＤＭＩケーブルによりＡＶアンプ２に接続される。また、ＤＶＤプレーヤ３の光出力コネクタ６３は、光ケーブル７によりＡＶアンプ２に接続される。
【００７６】
図１に示すように、ＡＶアンプ２の音声コーデック１８は、光入力コネクタ１１に入力される５．１ｃｈ音声ストリーミングデータをデコードする。音声コーデック１８は、５．１チャンネル分のＰＣＭデータを生成する。Ｄ／Ａコンバータ１９は、音声コーデック１８により生成された５．１チャンネル分のＰＣＭデータから５．１チャンネル分の音声信号を生成する。
【００７７】
セレクタ１６は、たとえば操作部３４の図示外の操作キーの操作に基づく装置制御部３２からの指示によりＤ／Ａコンバータ１９を事前に選択する。そして、セレクタ１６は、Ｄ／Ａコンバータ１９から入力される５．１チャンネル分の音声信号を音声アンプ１７へ出力する。音声アンプ１７は、セレクタ１６から入力される５．１チャンネル分の音声信号を増幅して複数の信号出力コネクタ１４へ出力する。
【００７８】
複数のアナログ音声出力コネクタは、図５に示すように、ＲＣＡケーブル９により５．１ｃｈスピーカシステム５に接続される。５．１ｃｈスピーカシステム５は、ＡＶアンプ２の複数の信号出力コネクタ１４から供給される５．１チャンネル分の音声信号に基づいて、音を出力する。ＡＶアンプ２の複数の信号出力コネクタ１４から５．１ｃｈ分の音声信号が供給されると、５．１ｃｈスピーカシステム５は、すべてのスピーカから音声を出力する。これにより、５．１ｃｈスピーカシステム５は、ディスク型記録媒体９１に記録された５．１ｃｈ音声ストリーミングデータに基づく高音質の音声を出力することができる。
【００７９】
また、図１に示すように、ＡＶアンプ２のＴＭＤＳレシーバ２２は、ＨＤＭＩ入力コネクタ１０に入力される４チャンネルの伝送フレームを受信する。ＴＭＤＳレシーバ２２は、受信した伝送フレームからデジタルデータを抽出する。分離部２３は、ＴＭＤＳレシーバ２２により抽出されたデジタルデータをＨＤＣＰ鍵を用いて復号し、映像の分離データおよび音声の分離データを分離する。映像デコーダ２４は、分離部２３により分離された映像の分離データに基づいて、映像データを生成する。映像デコーダ２４は、生成した映像データをＨＤＭＩトランスミッタ２７へ出力する。
【００８０】
また、分離部２３が分離した音声の分離データは、音声デコーダ２５へ供給される。音声デコーダ２５は、音声の分離データから５．１ｃｈ音声ストリーミングデータを生成する。音声デコーダ２５が生成した音声データは、音声出力制御部２６へ供給される。
【００８１】
ＡＶアンプ２の音声ストリーミング検出部３１は、光入力コネクタ１１に、音声ストリーミングデータが入力されているか否かを判断する。この場合、光入力コネクタ１１には、５．１ｃｈ音声ストリーミングデータが入力されている。音声ストリーミング検出部３１は、音声ストリーミングデータを検出する。
【００８２】
音声ストリーミング検出部３１が音声ストリーミングデータを検出すると、ＡＶアンプ２の装置制御部３２は、音声出力制御部２６へ音声出力の禁止指示を出力する。音声出力制御部２６は、音声出力の禁止指示があると、入力される音声データと同一形式の無音の音声データを出力する。音声出力制御部２６に５．１ｃｈ音声ストリーミングデータが入力されている場合、音声出力制御部２６は、その５．１ｃｈ音声ストリーミングデータと同一形式の無音の５．１ｃｈ音声ストリーミングデータを出力する。
【００８３】
ＨＤＭＩレシーバ２１の映像デコーダ２４が生成する映像データと、音声出力制御部２６が出力する無音の５．１ｃｈ音声ストリーミングデータとは、ＨＤＭＩトランスミッタ２７へ供給される。ＨＤＭＩトランスミッタ２７は、それら映像データおよび無音の５．１ｃｈ音声ストリーミングデータを有するＡＶストリーミングデータを生成し、ＨＤＭＩ出力コネクタ１３へ出力する。
【００８４】
図５に示すように、ＡＶアンプ２のＨＤＭＩ出力コネクタ１３には、他のＨＤＭＩケーブル８によりハイビジョン受信機４のＨＤＭＩ入力コネクタ１０１が接続される。図７に示すように、ハイビジョン受信機４のＨＤＭＩ入力コネクタ１０１は、ＨＤＭＩレシーバ１０２に接続される。ＨＤＭＩレシーバ１０２は、受信した複数の差動信号に重畳されているデジタルデータを抽出し、ＨＤＣＰ鍵を用いてデジタルデータを復号し、映像データおよび無音の５．１ｃｈ音声ストリーミングデータを生成する。
【００８５】
ハイビジョン受信機４のＨＤＭＩレシーバ１０２は、生成した映像データをビデオエンコーダ１０３へ供給する。ビデオエンコーダ１０３は、供給された映像データに基づいて、所定のアナログの映像信号を生成する。また、ビデオアンプ１０４は、ビデオエンコーダ１０３により生成された映像信号を増幅し、ディスプレイ１０５へ供給する。ディスプレイ１０５は、映像信号に基づく映像を表示する。これにより、ハイビジョン受信機４のディスプレイ１０５には、ディスク型記録媒体９１に記録されるデータに基づく高品質の映像が表示される。
【００８６】
また、ハイビジョン受信機４のＨＤＭＩレシーバ１０２は、生成した無音の５．１ｃｈ音声ストリーミングデータを音声コーデック１０６へ供給する。音声コーデック１０６は、供給される無音の５．１ｃｈ音声ストリーミングデータをデコードし、さらにダウンミックスなどをして、２チャンネルのリニアＰＣＭデータを生成する。Ｄ／Ａコンバータ１０７は、無音の２チャンネル分のリニアＰＣＭデータから、無音の２チャンネル分の音声信号を生成する。音声アンプ１０８は、無音の２チャンネル分の音声信号を増幅して２ｃｈスピーカ１０９へ供給する。２ｃｈスピーカ１０９には、無音の２チャンネル分の音声信号が供給される。２ｃｈスピーカ１０９は、音を出力しない。
【００８７】
なお、以上の説明では、ディスク型記録媒体９１に、５．１ｃｈ音声ストリーミングデータが記録されている場合について説明している。この他にもたとえばディスク型記録媒体９１には、Ｌ＋Ｒの２ｃｈの音声データを記録することができる。ディスク型記録媒体９１に２ｃｈの音声データが記録されている場合、ＤＶＤプレーヤ３は、光出力コネクタ６３から２ｃｈの音声データを出力し、複数の信号出力コネクタ６４の中の一部の信号出力コネクタ６４から、２チャンネル分の音声信号を出力する。
【００８８】
この場合、ＡＶアンプ２の音声ストリーミング検出部３１は、音声ストリーミングデータを検出しない。ＡＶアンプ２の装置制御部３２は、音声の出力を指示する。ＡＶアンプ２の音声出力制御部２６は、それに入力される音声データをそのままＨＤＭＩトランスミッタ２７へ出力する。ＨＤＭＩトランスミッタ２７は、映像デコーダ２４から供給される映像データと、音声出力制御部２６から供給される２ｃｈの音声データとを有するＡＶストリーミングデータを生成し、ＨＤＭＩ出力コネクタ１３へ出力する。
【００８９】
また、ハイビジョン受信機４のＨＤＭＩレシーバ１０２は、有音の２ｃｈの音声データを生成し、音声コーデック１０６へ供給する。音声コーデック１０６は、２チャンネル分のＰＣＭデータを生成する。Ｄ／Ａコンバータ１０７は、２チャンネル分のＰＣＭデータを、２チャンネル分の音声信号へ変換する。音声アンプ１０８は、２チャンネル分の音声信号を増幅し、２ｃｈスピーカ１０９へ供給する。２ｃｈスピーカ１０９は、ディスク型記録媒体９１に記録される２ｃｈの音声データに基づく音を出力する。
【００９０】
以上のように、この実施の形態１によれば、ＡＶアンプ２は、光入力コネクタ１１に５．１ｃｈ音声ストリーミングデータが入力されている場合、音声ストリーミング検出部３１でそれを検出し、装置制御部３２が音声出力制御部２６へ音声出力の禁止を指示する。音声出力制御部２６は、それに入力される５．１ｃｈ音声ストリーミングデータと同じ形式の無音の５．１ｃｈ音声ストリーミングデータを生成してＨＤＭＩトランスミッタ２７へ供給する。
【００９１】
したがって、ＡＶアンプ２のＨＤＭＩ出力コネクタ１３に接続されるハイビジョン受信機４は、ＡＶアンプ２からＡＶストリーミングデータを受信し、その受信に基づいて映像および音声を再生したとしても、音を出力しなくなる。ハイビジョン受信機４は、不要な音を出力しなくなる。ハイビジョン受信機４は、ＡＶアンプ２に接続される５．１ｃｈスピーカシステム５により形成される高品質な音空間を妨げなくなる。ＡＶ再生システム１の視聴者は、５．１ｃｈスピーカシステム５により形成される高品質な音空間を楽しむことができる。
【００９２】
また、視聴者は、ディスク型記録媒体９１の５．１ｃｈ音声ストリーミングデータを楽しむ度に、ハイビジョン受信機４の操作部１１２を操作し、ハイビジョン受信機４にミュート設定をしないで済む。また、視聴者は、ディスク型記録媒体９１の５．１ｃｈ音声ストリーミングデータを楽しんだ後に、ハイビジョン受信機４の操作部１１２を操作し、ハイビジョン受信機４にミュートの解除を設定しないで済む。視聴者は、ディスク型記録媒体９１の２ｃｈの音声データや、ハイビジョン放送を楽しむときに、ハイビジョン受信機４にミュートの解除操作をしないで済む。
【００９３】
実施の形態２．
図８は、本発明の実施の形態２に係るＡＶ再生システム１２１の一例を示すシステム構成図である。図８のＡＶ再生システム１２１は、ＡＶソース装置としてのＤＶＤプレーヤ１２２と、ＡＶ出力装置としてのハイビジョン受信機４と、オーディオ出力装置としての５．１ｃｈスピーカシステム５と、を有する。ＤＶＤプレーヤ１２２とハイビジョン受信機４とは、ＨＤＭＩケーブル８により接続される。ＤＶＤプレーヤ１２２と５．１ｃｈスピーカシステム５とは、複数のＲＣＡケーブル９により接続される。なお、ＤＶＤプレーヤ１２２の音声出力端子としての光出力コネクタ６３が５．１ｃｈスピーカシステム５と光ケーブルにより接続されてもよい。
【００９４】
図９は、図８中のＤＶＤプレーヤ１２２の構成を示す装置構成図である。ＤＶＤプレーヤ１２２は、映像および音声の出力端子として、ビデオ信号出力コネクタ６１と、ストリーミング出力端子としてのＨＤＭＩ出力コネクタ６２と、光出力コネクタ６３と、音声出力端子としての複数の信号出力コネクタ６４と、を有する。また、ＤＶＤプレーヤ１２２は、再生処理部６６と、装置制御部１３１と、操作部６８と、表示部６９と、を有する。
【００９５】
ＤＶＤプレーヤ１２２の再生処理部６６は、図示外の駆動モータと、光ピックアップ７１と、分離手段としての信号処理部１３２と、映像デコーダ７３と、ＩＰコンバータ７４と、ビデオエンコーダ７５と、ビデオアンプ７６と、スケーラ７７と、音声デコーダ７８と、音声出力制御部１３３と、出力手段としてのＨＤＭＩトランスミッタ７９と、音声コーデック８０と、Ｄ／Ａコンバータ８１と、音声アンプ８２と、を有する。
【００９６】
信号処理部１３２は、光ピックアップ７１が読み取ったデータに基づいて、音声データが音声ストリーミングデータであるか否かを判断する。信号処理部１３２は、たとえば音声データが圧縮形式である場合、音声ストリーミングデータであると判断する。また、信号処理部１３２は、装置制御部１３１に接続される。信号処理部１３２は、音声ストリーミングデータの検出結果を装置制御部１３１へ出力する。
【００９７】
装置制御部１３１は、音声出力制御部１３３に接続される。装置制御部１３１は、信号処理部１３２の検出結果に応じた音声出力指示を、音声出力制御部１３３へ出力する。信号処理部１３２が音声ストリーミングデータを検出すると、装置制御部１３１は、音声出力制御部１３３へ音声出力の禁止指示を出力する。
【００９８】
音声出力制御部１３３は、音声デコーダ７８と、ＨＤＭＩトランスミッタ７９との間に接続される。音声出力制御部１３３には、音声デコーダ７８が生成した音声データが入力される。音声出力制御部１３３は、入力される音声データをそのままＨＤＭＩトランスミッタ７９へ出力したり、入力される音声データと同一形式の無音の音声データをＨＤＭＩトランスミッタ７９へ出力したりする。
【００９９】
実施の形態２に係るＡＶ再生システム１２１の上述した以外の構成要素は、実施の形態１のＡＶ再生システム１における同名の構成要素と同じ機能を有するものであり、同一の符号を付してその説明を省略する。また、実施の形態２に係るＡＶ再生システム１２１のハイビジョン受信機４の構成は、実施の形態１の図７にし示すものと同様であり、その図示および構成要素の説明を省略する。
【０１００】
次に、図８の接続のＡＶ再生システム１２１を例として、ＤＶＤ方式で映像および音声のコンテンツデータが記録されたディスク型記録媒体９１の再生動作を説明する。以下の説明では、ディスク型記録媒体９１には、音声データとして５．１ｃｈ音声ストリーミングデータが記録されているものとする。
【０１０１】
図９に示すように、ＤＶＤプレーヤ１２２の図示外の駆動モータは、ディスク型記録媒体９１を回転駆動する。光ピックアップ７１は、回転駆動されるディスク型記録媒体９１からデータを読み込む。光ピックアップ７１により読み取られたデータは、信号処理部１３２へ供給される。信号処理部１３２は、供給されたデータから、映像の分離データと、音声の分離データとを生成する。
【０１０２】
ＤＶＤプレーヤ１２２の映像デコーダ７３は、信号処理部１３２により分離された映像の分離データをデコードして映像データを生成する。ＩＰコンバータ７４は、映像データをプログレッシブ方式の映像データへ変換する。スケーラ７７は、映像データの解像度を変換し、ＨＤＭＩトランスミッタ７９へ供給する。
【０１０３】
ＤＶＤプレーヤ１２２の音声デコーダ７８は、信号処理部１３２により分離された音声の分離データをデコードして音声データを生成する。ディスク型記録媒体９１に５．１ｃｈ音声ストリーミングデータが記録されているので、音声デコーダ７８は、５．１ｃｈ音声ストリーミングデータを生成する。音声デコーダ７８は、生成した５．１ｃｈ音声ストリーミングデータを、音声出力制御部１３３と、光出力コネクタ６３と、音声コーデック８０とに供給する。
【０１０４】
ＤＶＤプレーヤ１２２の音声コーデック８０は、５．１ｃｈ音声ストリーミングデータをデコードし、５．１チャンネル分のＰＣＭデータを生成し、Ｄ／Ａコンバータ８１は、５．１チャンネル分の音声信号を生成する。音声アンプ８２は、Ｄ／Ａコンバータ８１により生成された５．１チャンネル分の音声信号を増幅して複数の信号出力コネクタ６４へ出力する。
【０１０５】
ＤＶＤプレーヤ１２２の複数の信号出力コネクタ６４には、図８に示すように、複数のＲＣＡケーブル９により５．１ｃｈスピーカシステム５が接続される。５．１ｃｈスピーカシステム５は、ＤＶＤプレーヤ１２２から供給されるこの５．１チャンネル分の音声信号に基づいて、音を出力する。これにより、５．１ｃｈスピーカシステム５は、ディスク型記録媒体９１に記録された５．１ｃｈ音声ストリーミングデータに基づく高音質の音声を出力することができる。
【０１０６】
また、ＤＶＤプレーヤ１２２の信号処理部１３２は、映像の分離データと音声の分離データとを生成するとともに、光ピックアップ７１が読み取ったデータに基づいて、音声データが音声ストリーミングデータであるか否かを判断する。ディスク型記録媒体９１に５．１ｃｈ音声ストリーミングデータが記録されている。信号処理部１３２は、音声ストリーミングデータの検出を装置制御部１３１へ出力する。
【０１０７】
信号処理部１３２が音声ストリーミングデータを検出すると、ＤＶＤプレーヤ１２２の装置制御部１３１は、音声出力制御部１３３へ音声出力の禁止指示を出力する。音声出力制御部１３３は、音声出力の禁止指示があると、入力される音声データと同一形式の無音の音声データを出力する。音声出力制御部１３３に５．１ｃｈ音声ストリーミングデータが入力されている場合、音声出力制御部１３３は、その５．１ｃｈ音声ストリーミングデータと同一形式の無音の５．１ｃｈ音声ストリーミングデータを出力する。無音の５．１ｃｈ音声ストリーミングデータは、ＨＤＭＩトランスミッタ７９へ供給される。
【０１０８】
ＤＶＤプレーヤ１２２のＨＤＭＩトランスミッタ７９には、スケーラ７７からの映像データとともに、音声出力制御部１３３からの無音の５．１ｃｈ音声ストリーミングデータが供給される。ＨＤＭＩトランスミッタ７９は、それら映像データおよび無音の５．１ｃｈ音声ストリーミングデータを有するＡＶストリーミングデータを生成し、ＨＤＭＩ出力コネクタ６２へ出力する。
【０１０９】
ＤＶＤプレーヤ１２２のＨＤＭＩ出力コネクタ６２には、図８に示すように、ＨＤＭＩケーブル８によりハイビジョン受信機４が接続される。ハイビジョン受信機４のＨＤＭＩレシーバ１０２は、ＤＶＤプレーヤ１２２から受信した複数の差動信号に重畳されているデジタルデータを抽出し、ＨＤＣＰ鍵を用いてデジタルデータを復号し、映像データおよび無音の５．１ｃｈ音声ストリーミングデータを生成する。
【０１１０】
ハイビジョン受信機４のＨＤＭＩレシーバ１０２は、生成した映像データをビデオエンコーダ１０３へ供給する。ビデオエンコーダ１０３は、供給された映像データに基づいて、所定のアナログの映像信号を生成する。また、ビデオアンプ１０４は、ビデオエンコーダ１０３により生成された映像信号を増幅し、ディスプレイ１０５へ供給する。ディスプレイ１０５は、映像信号に基づく映像を表示する。これにより、ハイビジョン受信機４のディスプレイ１０５には、ディスク型記録媒体９１に記録されるデータに基づく高品質の映像が表示される。
【０１１１】
また、ハイビジョン受信機４のＨＤＭＩレシーバ１０２は、生成した無音の５．１ｃｈ音声ストリーミングデータを音声コーデック１０６へ供給する。音声コーデック１０６は、供給される音声データから無音の５．１チャンネル分のリニアＰＣＭデータを生成する。Ｄ／Ａコンバータ１０７は、無音の５．１チャンネル分のリニアＰＣＭデータから、無音の５．１チャンネル分の音声信号を生成する。音声アンプ１０８は、無音の５．１チャンネル分の音声信号を増幅して２ｃｈスピーカ１０９へ供給する。２ｃｈスピーカ１０９には、無音の５．１チャンネル分の音声信号が供給される。２ｃｈスピーカ１０９は、音を出力しない。
【０１１２】
以上のように、この実施の形態２によれば、ＤＶＤプレーヤ１２２は、ディスク型記録媒体９１に５．１ｃｈ音声ストリーミングデータが記録されている場合、信号処理部１３２でそれを検出し、装置制御部１３１が音声出力制御部１３３へ音声出力の禁止を指示する。音声出力制御部１３３は、それに入力される５．１ｃｈ音声ストリーミングデータと同じ形式の無音の５．１ｃｈ音声ストリーミングデータを生成してＨＤＭＩトランスミッタ７９へ供給する。
【０１１３】
したがって、ＤＶＤプレーヤ１２２のＨＤＭＩ出力コネクタ６２に接続されるハイビジョン受信機４は、ＤＶＤプレーヤ１２２からＡＶストリーミングデータを受信し、その受信に基づいて映像および音声を再生したとしても、音を出力しなくなる。ハイビジョン受信機４は、不要な音を出力しなくなる。ハイビジョン受信機４は、ＤＶＤプレーヤ１２２に接続される５．１ｃｈスピーカシステム５により形成される高品質な音空間を妨げない。ＡＶ再生システム１２１の視聴者は、５．１ｃｈスピーカシステム５により形成される高品質な音空間を楽しむことができる。
【０１１４】
また、視聴者は、ディスク型記録媒体９１の５．１ｃｈ音声ストリーミングデータを楽しむ度に、ハイビジョン受信機４の操作部１１２を操作し、ハイビジョン受信機４にミュート設定をしないで済む。また、視聴者は、ディスク型記録媒体９１の５．１ｃｈ音声ストリーミングデータを楽しんだ後に、ハイビジョン受信機４の操作部１１２を操作し、ハイビジョン受信機４にミュートの解除を設定しないで済む。視聴者は、ディスク型記録媒体９１の２ｃｈの音声データや、ハイビジョン放送を楽しむときに、ハイビジョン受信機４にミュートの解除操作をしないで済む。
【０１１５】
以上の各実施の形態は、本発明の好適な実施の形態の例であるが、本発明は、これに限定されるものではなく、発明の要旨を逸脱しない範囲において種々の変形、変更が可能である。
【０１１６】
たとえば上記実施の形態１では、ＡＶアンプ２の音声ストリーミング検出部３１は、光入力コネクタ１１に、音声ストリーミングデータが入力されているか否かを判断している。この他にもたとえば、ＡＶアンプ２の音声ストリーミング検出部３１は、音声入力端子としての複数の信号入力コネクタ１２に、音声ストリーミングデータに基づく５．１ｃｈの音声信号が入力されているか否かを判断するようにしてもよい。この変形例の場合、セレクタ１６は、複数の信号入力コネクタ１２を選択するようにしてもよい。
【０１１７】
図１０は、音声ストリーミング検出部３１が複数の信号入力コネクタ１２に、音声ストリーミングデータが入力されているか否かを判断する場合の実施の形態１のＡＶアンプ２の変形例を示す装置構成図である。
【０１１８】
音声ストリーミング検出部１４１には、複数の信号入力コネクタ１２の中の、センタの音声信号が入力される信号入力コネクタ１２が接続される。音声ストリーミング検出部１４１は、信号入力コネクタ１２に所定レベル以上の音声信号が入力されると、複数の信号入力コネクタ１２に音声ストリーミングデータが入力されていると判断する。なお、音声ストリーミング検出部１４１には、左後の音声信号が入力される信号入力コネクタ１２や、右後の音声信号が入力される信号入力コネクタ１２が接続されてもよい。
【０１１９】
さらに他にもたとえば、ＡＶアンプ２の音声ストリーミング検出部３１，１４１は、ＨＤＭＩレシーバ２１の音声デコーダ２５が生成する音声データが、音声ストリーミングデータであるか否かを判断するようにしてもよい。
【０１２０】
上記実施の形態１では、ＡＶアンプ２の音声出力制御部２６は、音声出力の禁止が指示された場合、それに入力される音声データと同じ形式の無音の音声データをＨＤＭＩトランスミッタ２７へ供給している。上記実施の形態２では、ＤＶＤプレーヤ１２２の音声出力制御部１３３は、音声出力の禁止が指示された場合、それに入力される音声データと同じ形式の無音の音声データをＨＤＭＩトランスミッタ７９へ供給している。この他にもたとえば、音声出力制御部２６，１３３は、音声出力の禁止が指示された場合、ＨＤＭＩトランスミッタ２７，７９へ音声データを供給しないようにしてもよい。
【０１２１】
この変形例の場合、ＨＤＭＩトランスミッタ２７，７９には、映像データのみが供給される。ＨＤＭＩトランスミッタ２７，７９は、映像データのみを割り付けた伝送フレーム、すなわち音声データを持たない伝送フレームを生成し、ＨＤＭＩ出力コネクタ１３，６２へ出力することになる。映像データのみを割り付けた伝送フレームでは、図３中の音声データ用のデータアイランドピリオド５２が無かったり、図３中の音声データ用のデータアイランドピリオド５２に音声データ以外のパケットヘッダデータなどが格納されたりすることになる。
【０１２２】
上記実施の形態１では、ＡＶアンプ２は、光入力コネクタ１１から入力される音声データを音声信号へ変換し、５．１ｃｈスピーカシステム５へ供給している。この他にもたとえば、ＡＶアンプ２は、光入力コネクタ１１から入力される音声データをそのまま５．１ｃｈスピーカシステム５へ供給するようにしてもよい。この変形例の場合、５．１ｃｈスピーカシステム５は、ＡＶアンプ２から供給される音声データをデコードし、音声信号へ変換し、スピーカから出力することになる。
【産業上の利用可能性】
【０１２３】
本発明は、ＨＤＭＩによりハイビジョン受信機を接続するＡＶ再生システムなどに利用することができる。
【図面の簡単な説明】
【０１２４】
【図１】図１は、本発明の実施の形態１に係る中継装置としてのＡＶアンプの構成を示す装置構成図である。
【図２】図２は、ＨＤＭＩ対応のＡＶソース装置とＡＶシンク装置とをＨＤＭＩケーブルにより接続することで形成される、ＨＤＭＩ入出力チャンネルを示す図である。
【図３】図３は、ＨＤＭＩの各チャンネルの伝送単位である１つの伝送フレームのデータ構造を示す図である。
【図４】図４は、ＨＤＭＩによる複数チャンネルの送信状態を示すタイミングチャートである。
【図５】図５は、図１のＡＶアンプを有するＡＶ再生システムの構成の一例を示すシステム構成図である。
【図６】図６は、図５中のＤＶＤプレーヤの構成を示す装置構成図である。
【図７】図７は、図５中のハイビジョン受信機の構成を示す装置構成図である。
【図８】図８は、本発明の実施の形態２に係るＡＶ再生システムの一例を示すシステム構成図である。
【図９】図９は、図８中のＤＶＤプレーヤの構成を示す装置構成図である。
【図１０】図１０は、実施の形態１のＡＶアンプの変形例を示す装置構成図である。
【符号の説明】
【０１２５】
１  ＡＶ再生システム
２  ＡＶアンプ（中継装置）
３  ＤＶＤプレーヤ（ＡＶソース装置）
４  ハイビジョン受信機（ＡＶ出力装置）
５  ５．１ｃｈスピーカシステム（オーディオ出力装置）
１０  ＨＤＭＩ入力コネクタ（ストリーミング入力端子）
１１  光入力コネクタ（音声入力端子）
１２  信号入力コネクタ（音声入力端子）
１３  ＨＤＭＩ出力コネクタ（ストリーミング出力端子）
１４  信号出力コネクタ（音声出力端子）
２１  ＨＤＭＩレシーバ（分離手段）
２７  ＨＤＭＩトランスミッタ（出力手段）
６２  ＨＤＭＩ出力コネクタ（ストリーミング出力端子）
６３  光出力コネクタ（音声出力端子）
６４  信号出力コネクタ（音声出力端子）
７９  ＨＤＭＩトランスミッタ（出力手段）
１２１  ＡＶ再生システム
１２２  ＤＶＤプレーヤ（ＡＶソース装置）
１３２  信号処理部（分離手段）
【図１】
2007243460.tif 000003
【図２】
2007243460.tif 000004
【図３】
2007243460.tif 000005
【図４】
2007243460.tif 000006
【図５】
2007243460.tif 000007
【図６】
2007243460.tif 000008
【図７】
2007243460.tif 000009
【図８】
2007243460.tif 000010
【図９】
2007243460.tif 000011
【図１０】
2007243460.tif 000012